(57)【要約】【課題】簡単な構造でより確実に前記接着部分の剥離を抑止することができる固形物保有布を提供する。【解決手段】エンボス加工された加工布１０であって、エンボス加工によりその表面から垂直な方向に突出するとともに当該突出方向の反対側に向かって開口する収容部１２が形成された加工布１０と、前記収容部１２の内側に収容される粒状の固形物２０と、接着材３０とを設け、当該接着材３０を前記収容部１２の内側に収容するとともに、この接着材３０を前記収容部１２の開口部を覆うようにして当該収容部１２の内周面に接着させることで前記固形物２０を前記収容部１２の内側に固定する。【選択図】図１
2008133554.tif 000002
【特許請求の範囲】
【請求項１】
織布または不織布に固形物が固定された固形物保有布において、
エンボス加工された加工布であって、エンボス加工によりその表面から垂直な方向に突出するとともに当該突出方向の反対側に向かって開口する収容部が形成された加工布と、
前記収容部の内側に収容される粒状の固形物と、
前記収容部の内側に収容されて、当該収容部の開口部を覆うようにして当該収容部の内周面と接着することで前記固形物を前記収容部の内側に固定する接着材とを有することを特徴とする固形物保有布。
【請求項２】
請求項１に記載の固形物保有布において、
当該固形物保有布が、身体と接触する衣類や寝具等に用いられるものであるとともに、
前記固形物が、磁石等のように血行促進作用を有するものを備え、
前記収容部が前記身体側に向かって突出するように構成されていることを特徴とする固形物保有布。
【請求項３】
請求項１または２に記載の固形物保有布において、
前記接着材が、その表面と前記加工布の表面との間に段差がないような形状を有することを特徴とする固形物保有布。
【請求項４】
請求項１〜３のいずれかに記載の固形物保有布において、
前記加工布の少なくとも一部が縫製されていることを特徴とする固形物保有布。
【請求項５】
請求項１〜４のいずれかに記載の固形物保有布を製造する方法であって、
表面に凹部を有する土台上に、前記収容部が形成されていない加工布を設置する布設置工程と、
前記凹部に嵌合可能な凸部を有する押圧部材により前記土台上に設置された加工布を押圧して、当該加工布のうち前記凹部と凸部との間に挟まれた部分に前記収容部を形成するエンボス加工工程と、
前記収容部に前記固形物を収容する固形物収容工程と、
前記収容部に当該収容部の開口部分を覆うようにして前記接着材を滴下し、当該接着材を前記収容部の内周面に接着させる接着工程とを含むことを特徴とする固形物保有布の製造方法。
【請求項６】
請求項４に記載の固形物保有布を製造する方法であって、
前記収容部が形成されていない加工布を縫製するとともに当該縫製された加工布に前記収容部を形成する接着前工程と、
前記収容部に前記固形物を収容する固形物収容工程と、
前記収容部に当該収容部の開口部分を覆うようにして前記接着材を滴下し、当該接着材を前記収容部の内周面に接着させる接着工程とを備え、
前記接着前工程が、針を用いて前記加工布の少なくとも一部を縫製する縫製工程と、当該縫製された加工布に前記針が混入していないかどうかを検査する検針工程と、表面に凹部を有する土台上に前記検針工程後の加工布を設置する布設置工程と、前記凹部に嵌合可能な凸部を有する押圧部材により前記設置された加工布を押圧して、当該加工布のうち前記凹部と凸部との間に挟まれた部分に前記収容部を形成するエンボス加工工程とを含むことを特徴とする固形物保有布の製造方法。
【請求項７】
請求項５または６に記載の固形物保有布を製造する方法において、
前記布設置工程が、前記土台の凹部と対応する位置に当該凹部側に突出し前記収容部をその内部に収容可能な形状を有する保形部を備える下敷き部材を前記土台の上に設置する下敷き部材設置工程と、当該設置された下敷き部材の上に前記収容部が形成されていない加工布を設置する加工布設置工程とを含むとともに、
前記布押圧工程、前記固形物収容工程および前記接着工程が、前記下敷き部材の上に前記加工布が設置された状態で実施されることを特徴とする固形物保有布の製造方法。
【発明の詳細な説明】
【技術分野】
【０００１】
本発明は、粒状の固形物が埋めこまれた布製品および当該布製品の製造方法に関する。
【背景技術】
【０００２】
従来、磁気やマイナスイオン等を身体に作用させると血行が促進されて健康上良好な効果が得られるといわれており、この効果を得るための種々の健康器具が開発されている。
【０００３】
例えば、前記磁気を発生する磁石が固定された布からなる衣類であって、当該衣類の着用時に前記磁石の磁気が身体に作用するよう構成されたものがある。そして、前記のような磁石等が固定された布としては、特許文献１に、織布または不織布と、当該布に少なくとも一部が埋没した状態で設置された磁石と、当該磁石を覆うような形状を有し前記磁石の周辺の布に溶着されて前記磁石を前記布に固定する接着材とを有する固形物保有布であって、前記接着材が布の表面から外側に突出するようにして前記磁石を覆っているものが開示されている。また、前記特許文献１には、接着材が、前記布との間に磁石を挟み込んだ状態で布の全面にわたって溶着されているものが開示されている。特に、この固形物保有布では、前記接着材に、蛇紋石等の天然放射性を有する鉱石の粉末とスギゴケ等のコケ類植物の粉末等とが混合されており、当該接着材の表面が身体に接するように構成されている。
【０００４】
このような構成によれば、前記コケ類植物の薬効を身体に有効に作用させることができるとともに、前記磁石から発せられる磁気と前記鉱石から発せられる遠赤外線とにより効果的に血行を促進させることができるという効果がある。
【特許文献１】登録実用新案第３０１１９４０号公報
【発明の開示】
【発明が解決しようとする課題】
【０００５】
しかしながら、前記のような固形物保有布では、接着材が布の表面から外側に突出するようにして磁石を覆っているため、当該固形物保有布を衣類に利用した場合、この衣類の着用時等に接着材が身体等と擦れて前記布から剥離しまう場合がある。また、この接着材の剥離を抑制するために、この接着材と布との溶着量を多くしたり前記のように布の全面にわたって接着材を溶着させてしまうと、固形物保有布全体が大型化してしまうとともにコスト面で不利になるという問題がある。
【０００６】
本発明は、かかる事情に鑑み、簡単な構造でより確実に前記接着部分の剥離を抑止することができる固形物保有布の提供を目的とする。
【課題を解決するための手段】
【０００７】
前記課題を解決するための請求項１に係る発明は、織布または不織布に固形物が固定された固形物保有布において、エンボス加工された加工布であって、エンボス加工によりその表面から垂直な方向に突出するとともに当該突出方向の反対側に向かって開口する収容部が形成された加工布と、前記収容部の内側に収容される粒状の固形物と、前記収容部の開口部を覆うようにして当該収容部の内周面と接着することで前記固形物を前記収容部の内側に固定する接着材とを有することを特徴とするものである（請求項１）。
【０００８】
本発明によれば、エンボス加工により形成された収容部に固形物を収容し、この固形物が収容された収容部の開口部を前記接着材により覆うという簡単な構成で、前記固形物を前記加工布に確実に固定することができる。また、本発明では、前記接着材が前記加工布の表面から突出する収容部の内周面に接着することで前記固形物を固定できるよう構成されているので、この接着材が前記加工布の表面から外側に突出するのを抑制することができる。すなわち、本発明によれば、簡単な構成で、前記固形物を確実に加工布に固定しつつ前記接着材の加工布からの突出量を抑制して接着材が身体等と擦れて剥離してしまうのを抑制することが可能になる。
【０００９】
また、前記固形物保有布の利用方法は限定されるものではないが、この固形物保有布を身体と接触する衣類や寝具等に利用するのが好ましい。そして、この固形物保有布を衣類や寝具等に利用する場合には、さらに、前記固形物が磁石等のように血行促進作用を有するものを備えるとともに、前記収容部が前記身体側に向かって突出するように構成されているのが好ましい（請求項２）。
【００１０】
このようにすれば、前記収容部が身体側に向かって突出するため、この収容部に収容された前記磁石等と身体とをより確実に接触させることができ、この固形物の有する血行促進作用を身体に効率よく作用させることが可能になるとともに、接着材が直接身体と接触するのをなくすことができるので、皮膚の弱い使用者等にも快適な使用感を提供することが可能になる。また、前記のように収容部はエンボス加工により形成されたものであり、身体と磁石等との間に介在する部分の加工布の厚さは均一となるので、前記磁石等が加工布を介して身体に及ぼす作用の管理が容易となる。ここで、前記血行促進作用を有する固形物としては、磁石やゲルマニウム、チタン等が挙げられる。
【００１１】
また、本発明において、前記接着材が、その表面と前記加工布の表面との間に段差がないような形状を有するのが好ましい（請求項３）。
【００１２】
このようにすれば、前記固形物を固定しつつ表面に凹凸を有しない滑らかな固形物保有布を提供することが可能となり、この固形物保有布を衣類等に用いた場合にその外観を向上させることが可能となる。
【００１３】
また、本発明において、前記加工布の少なくとも一部が縫製されているのが好ましい（請求項４）。
【００１４】
このようにすれば、この固形物保有布を衣類等に加工する場合に、端部の糸のほつれ等が抑制されるので加工が容易となり利便性が向上する。
【００１５】
また、前記固形物保有布を製造する方法としては、表面に凹部を有する土台上に、前記収容部が形成されていない加工布を設置する布設置工程と、前記凹部に嵌合可能な凸部を有する押圧部材により前記土台上に設置された加工布を押圧して、当該加工布のうち前記凹部と凸部との間に挟まれた部分に前記収容部を形成するエンボス加工工程と、前記収容部に前記固形物を収容する固形物収容工程と、前記収容部に当該収容部の開口部分を覆うようにして前記接着材を滴下し、当該接着材を前記収容部の内周面に接着させる接着工程とを含むのが好ましい（請求項５）。
【００１６】
この方法によれば、前記布設置工程にて前記凹部を有する土台上に設置された布を、前記エンボス加工工程にて前記凸部を有する押圧部材により押圧することで、簡単に前記収容部を形成することができる。また、前記収容工程で前記収容部に前記固形物を収容し、前記接着工程にてこの収容部の内側に接着材を滴下して、当該接着材を収容部の開口部を覆うようにして収容部の内周面に接着させることで、比較的容易に前記固形物を収容部の内側に固定することができる。
【００１７】
また、前記固形物保有布のうち前記加工布の少なくとも一部が縫製された固形物保有布を製造する方法としては、前記収容部が形成されていない加工布の少なくとも一部を縫製するとともに当該縫製された加工布に前記収容部を形成する接着前工程と、前記収容部に前記固形物を収容する固形物収容工程と、前記収容部に当該収容部の開口部分を覆うようにして前記接着材を滴下し、当該接着材を前記収容部の内周面に接着させる接着工程とを備え、前記接着前工程が、針を用いて前記加工布を縫製する縫製工程と、当該縫製された加工布に前記針が混入していないかどうかを検査する検針工程と、表面に凹部を有する土台上に前記検針工程後の加工布を設置する布設置工程と、前記凹部に嵌合可能な凸部を有する押圧部材により前記設置された加工布を押圧して、当該加工布のうち前記凹部と凸部との間に挟まれた部分に前記収容部を形成するエンボス加工工程とを含むのが好ましい（請求項６）。
【００１８】
この方法によれば、前記接着前工程にて前記加工布を縫製するとともに当該加工布に前記収容部を形成し、その後、前記収容工程でこの収容部に前記固形物を収容し、さらに、前記接着工程にてこの収容部の内側に接着材を滴下して、当該接着材を収容部の開口部を覆うようにして前記収容部の内周面に接着させることで、固形物を固定しつつ縫製された固定物加工布を製造することができる。
【００１９】
また、前記接着前工程では、針を用いて前記加工布を縫製する縫製工程と、この縫製された布に前記針が混入していないかどうかを検査する検針工程とが行われており、前記収容工程にて固形物が前記収容部に収容される前に前記検針工程が行われることになるので、当該固形物が前記検針工程時に針として誤って検出されてしまうといった事態を回避することができ、検針作業を効率よく行うことが可能になる。例えば、前記針として金属製の針が用いられ、前記固形物として磁石等の金属が収容される場合であって、金属探知機を用いて検針作業を行う場合等では、前記固形物が金属探知機に反応してしまうのを抑制することができる。すなわち、前記固形物収容後には縫製工程を行わないので、固形物収容後に再度検針工程を行う必要がなく、固形物収容工程前の検針工程のみで、針の混入が見過ごされることを確実に防止することが可能となる。
【００２０】
また、前記固形物保有布の製造方法において、前記布設置工程が、前記土台の凹部と対応する位置に当該凹部側に突出し前記収容部をその内部に収容可能な形状を有する保形部を備える下敷き部材を前記土台の上に設置する下敷き部材設置工程と、当該設置された下敷き部材の上に前記収容部が形成されていない加工布を設置する加工布設置工程とを含むとともに、前記布押圧工程、前記固形物収容工程および前記接着工程が、前記下敷き部材の上に前記加工布が設置された状態で実施されるのが好ましい（請求項７）。
【００２１】
この方法では、前記下敷き部材設置工程で設置された下敷き部材の上に、前記加工布設置工程において前記加工布が設置され、前記下敷き部材の上に設置された状態で前記エンボス加工工程から前記接着工程までが実施されるので、前記下敷き部材に設けられた保形部によって前記加工布に設けられた収容部の形状を保ちつつ前記各工程を行うことができる。すなわち、この方法によれば、前記収容部内に安定して固形物を収容するとともに前記接着材を安定して滴下することが可能になる。
【発明の効果】
【００２２】
以上説明したように、本発明によれば、簡単な構成で接着部分の剥離を抑制することのできる固形物保有布を提供することができる。
【発明を実施するための最良の形態】
【００２３】
以下、本発明の好ましい実施の形態について図面を参照して説明する。ここでは、本発明に係る固形物保有布を下着の一部に利用するとともに、この固形物保有布に固定する固形物を磁石とした場合について説明する。
【００２４】
図１は本発明に係る固形物保有布の部分断面図であり、図２は前記固形物保有布の正面図であり、図３はこの固形物保有布が取り付けられた下着の正面図であり、図４は前記下着の断面図である。
【００２５】
図３および図４に示すように、固形物保有布１は下着１００の背中部分に取り付けられている。より具体的には、下着１００のうち背中全体を覆う後ろ身頃１０２の内側に前記固形物保有布１が装着されている。
【００２６】
図１に示すように、前記固形物保有布１は、加工布１０と、磁石２０と、接着材３０とを有している。
【００２７】
前記加工布１０は、前記下着１００のうち少なくとも後ろ身頃１０２と同様の組成を有する織布であり、図３に示すように、身体の肩から背中の中央部分の領域を覆うような大きさを有している。また、この加工布１０は、織糸のほつれ等がないように、その外周が所定の糸で縫製されている。また、この加工布１０には、その表面から垂直な方向に突出するとともに当該突出方向の反対側に向かって開口する複数の収容部１２が設けられている。
【００２８】
前記収容部１２は、図４に示すように、前記加工布１０が前記後ろ身頃１０２に装着されて下着１００が形成された状態で、身体側に向かって突出するように構成されている。ここで、この収容部１２はエンボス加工により形成されたものであり、その突出方向と垂直に広がる底壁１２ａの厚みはほぼ均一となっている。さらに、この収容部１２は下着１００を装着した際に、背中のつぼの位置とほぼ一致するように配置されている。
【００２９】
前記磁石２０は、磁気を発生させ当該磁気により身体の血行促進を行うものである。この磁石２０は、例えば、フェライト磁石や希土類磁石等であり磁束密度が１００ミリテスラ程度の磁石である。この磁石２０は、粒状であり前記加工布１０に設けられた収容部１２の内側にそれぞれ収容可能な形状を有している。そして、この磁石２０は、前記収容部１２に収容され、この収容部の底壁１２ａを介して身体に磁気を作用させる。特に、収容部１２を、前記のように、身体のつぼの位置に配置しておけば、この収容部１２に収容された磁石２０の磁気を身体に効果的に作用させることができる。また、前記収容部１２の底壁１２ａの厚み、すなわち、この収容部１２に収容される磁石２０と身体との間に介在する部分の厚みが均一であるので、磁石２０の磁気は身体に均一に作用することになる。
【００３０】
前記接着材３０は、前記磁石２０を収容部１２の内側に固定するためのものである。この接着材３０は、前記磁石２０が収容された収容部１２の開口部分を覆うようにしてこの収容部１２の内周面に接着しており、これによって、磁石２０を前記収容部１２の内側に固定している。また、この接着材３０は、収容部１２に収容されており、その表面３０ａと加工布１０の表面１０ａとの間に段差がないような形状を有している。すなわち、接着材３０の表面３０ａと加工布１０の表面１０ａとは面一であり、本固形物保有布１の表面は滑らかな形状となっている。従って、この本固形物保有布１を下着１００のような衣類に利用した場合、特に、収容部１２の突出側が身体側となるように用いた場合には、外側の表面に凹凸が生じるのを抑制することができ、外観上、磁石２０を有しない通常の下着と同様の形状を保つことが可能になる。また、前記接着材３０は、収容部１２に収容されており、この収容部１２以外の部分には付着していない。従って、接着材３０による通気性の悪化を抑制することが可能になる。
【００３１】
前記接着材３０の材質についての詳細は後述するが、例えば、熱硬化型のシリコーン樹脂等を用いればよい。
【００３２】
以上のように接着材３０により収容部１２の内側に磁石２０が固定された固形物保有布１は、下着１００の後ろ身頃１０２の内側に装着される。そして、前記収容部１２に収容された磁石２０の磁気が前記底壁１２ａを介して身体に作用して、身体の血行が促進される。
【００３３】
次に、前記固形物保有布１の製造方法について説明する。この製造方法は、以下の工程を含む。
【００３４】
１）接着前工程
１−１）縫製工程
この工程は、前記収容部１２が形成される前の加工布１０に縫製を行う工程である。この工程では、図５に示すように、前記加工布１０の外周部分から織糸がほつれてしまわないように、前記外周部分をミシン等で縫製する。
【００３５】
１−２）検針工程
この工程では、前記縫製工程後の加工布１０に折れた針の一部等が混入していないかどうかを検査する工程である。この工程では、図６に示すように、加工布１０を検針機５０によって当該加工布１０に針が混入していないかどうかを検査する。前記検針機５０は、永久磁石５２とコイル５４とを有し、この永久磁石５２とコイル５４とにより形成される磁界が変化した際に発生する誘導起電力を検出するものである。すなわち、永久磁石５２とコイル５４との間に設置された加工布１０に針が混入している場合には前記磁界をこの針が横切ることで誘導起電力が発生するため、この誘導起電力が検出されれば前記加工布に針が混入していることを検出することができる。前記検針機５０では、この誘導起電力を検出して、誘導起電力が発生した場合にライト等を点滅させて作業者に報知している。
【００３６】
ここで、前記加工布１０に折れた針等が混入していることが検出された場合には、作業者等によりこの針が除去されて、再度、検針機５０による検査が行われる。
【００３７】
１−３）布設置工程
この工程では、下敷き部材設置工程と加工布設置工程前とが行われる。
【００３８】
１−３−１）下敷き部材設置工程
この工程は、図７に示すように土台６０の上に下敷き部材７０を設置する工程である。前記土台６０とは、前記加工布１０に前記収容部１２を形成するためのメス側金型であり、その表面には前記収容部１２とほぼ同形状の凹部６２が複数設けられている。また、前記下敷き部材７０とは前記収容部１２を保形するためのものである。本実施形態では、前記下敷き部材７０としてデニムを用いている。このデニム７０には、その表面に、前記凹部６２と対応する位置に、この凹部６２側に突出して前記収容部１２を収容可能な形状を有する保形部７２が形成されている。そして、この下敷き部材設置工程では、前記土台６０の上に前記デニム７０が、前記凹部６２内に前記保形部７２がはまり込むようにして設置される。
【００３９】
１−３−２）加工布設置工程
この工程では、図８に示すように、土台６０上に設置された前記デニム７０の上に、前記検針工程が終了した加工布１０が設置される。
【００４０】
１−４）エンボス加工工程
この工程は、図９に示すように、加工布１０をエンボス加工してこの加工布１０に収容部１２を形成する工程である。この工程では、押圧部材８０により加工布１０が押圧されることで前記収容部１２が形成される。前記押圧部材８０とは、前記加工布１０に前記収容部１２を形成するためのオス側金型であり、その表面には土台６０側に向けて突出する凸部８２が複数設けられている。また、この凸部８２は、前記土台６０の凹部６２およびこの凹部６２上に設置された前記デニム７０の保形部７２と嵌合するような形状を有している。そして、この凸部８２により加工布１０が前記土台６０側に押圧されることで、前記凹部６２上の前記保形部７２と前記凸部８２との間に前記収容部１２が形成される。
【００４１】
ここで、前記凸部８２は均一な押圧力で加工布１０を押圧しており、前記収容部１２の底壁１２ａの厚さはほぼ均一な厚さに形成される。
【００４２】
２）固形物収容工程
この工程では、図１０に示すように、前記エンボス加工工程で形成された複数の収容部１２に磁石２０がそれぞれ収容される。
【００４３】
３）接着工程
この工程は、前記収容部１２に接着材３０を滴下して、この接着材３０を前記収容部１２の内周面に接着する工程である。
【００４４】
この工程では、まず、図１１に示すように、図略のディスペンサ等により前記収容部１２に接着材３０が滴下される。特に、この工程では、前記接着材３０が、その表面３０ａと前記加工布１０の表面１０ａとの間に段差が生じないように滴下される。
【００４５】
ここで、前記接着材３０としては、収容部１２に滴下された後にその形状が安定して維持される程度にその粘度が高まる（すなわち硬化する）ものであることが好ましい。この硬化は自然硬化でもよいし、紫外線の照射や加熱によって促進される硬化であってもよい。ただし、硬化後も接着材３０にある程度の弾性（柔軟性）が確保されるものであることが好ましい。これにより、使用時にこの接着材３０に外力が加わった場合等にこの接着材３０の割れや破損が生ずることを回避することができる。前記接着材３０としては、例えば熱硬化型のシリコーン樹脂が好適である。
【００４６】
そして、この接着材３０が滴下された加工布１０は、図１２に示すように前記デニム７０上に設置されたまま前記土台６０から外され、デニム７０とともに乾燥機９０内に運び込まれる。そして、前記収容部１２に滴下された接着材３０は、この乾燥機９０内で前記接着材３０が過熱されることで硬化して収容部１２の内周面と接着する。その結果、前記収容部１２内に収容された磁石２０は、この収容部１２に固定される。
【００４７】
このようにして製造された固形物保有布１は、さらに収容部１２の突出側が身体側にくるように下着１００の後ろ身頃１０２に装着される。具体的には、この固形物保有布１は、縫製が終了した下着１００の後ろ身頃１０２に接着シート等を介して超音波溶着等により装着される。
【００４８】
以上のように、本固形物保有布１によれば、前記磁石２０が収容された収容部１２の開口部を前記接着材３０により覆い、この接着材３０を収容部１２の内周面に接着させるという簡単な構成で、前記接着材３０が加工布１０の表面から突出するのを抑制しつつ磁石２０を確実に加工布１０に固定することができる。その結果、この接着材３０が身体等と擦れて剥離してしまうのを抑制することが可能になる。
【００４９】
また、この固形物保有布１を下着１００等のように身体と接触する衣類に利用した場合に、当該固形物保有布１を前記収容部１２が身体側に突出するように用いれば、収容部１２に収容された磁石２０と身体とをより確実に接触させることができるので、この磁石２０の血行促進作用を効率よく身体に作用させることが可能になる。また、前記接着材３０が身体と直接接触するのを抑制することができるので、皮膚への負担を抑制することでき、皮膚の比較的弱い使用者等に対しても快適な使用感を提供することが可能になる。さらに、前記収容部１２はエンボス加工により形成されたものであり、身体と磁石２０との間に介在する収容部１２の底壁１２ａの厚さは均一となるので、前記磁石２０がこの底壁１２ａを介して身体に及ぼす作用の管理が容易になる。
【００５０】
また、前記のように、固形物保有布１を前記接着材３０の表面３０ａと前記加工布１０の表面１０ａとの間に段差がないように構成しておけば、外側に凹凸が生じるのを抑制することができるので、その外観が向上する。
【００５１】
また、前記固形物保有布１を製造する方法として、前記のような方法を用いれば、布設置工程で設置された加工布１０に対して、エンボス加工工程にて簡単に前記収容部１２を形成することができる。また、前記固形物収容工程にて磁石２０を前記収容部１２に収容し、接着工程にてこの収容部１２に接着材３０を滴下するとともに接着材３０を収容部１２の内周面に接着させれば、前記磁石２０を収容部１２の内側に収容した状態で、この収容部１２の開口部が接着材３０により覆われることになるので、磁石２０を収容部１２の内側に確実に固定することが可能になる。特に、前記接着工程にて、前記接着材３０を、その表面３０ａと加工布１０の表面１０ａとの間に段差が生じないよう滴下しておけば、容易に固形物保有布１の表面を滑らかにすることができる。
【００５２】
また、前記固形物収容工程の前に、前記加工布１０を縫製する縫製工程と、当該縫製された加工布１０に針が混入していないかどうかを検査する検針工程とを行い、前記磁石２０を接着材３０により加工布１０に固定するようにすれば、固形物収容工程後に再度検針工程を行う必要がなくなるので、効率よく固形物保有布１を製造することが可能になる。
【００５３】
また、前記布設置工程において、前記土台６０の上に前記加工布１０よりも厚手のデニム７０を設置し（下敷き部材設置工程）、このデニム７０の上に加工布１０を設置して（加工布設置工程）、デニム７０の上に加工布１０が設置された状態で、前記エンボス加工工程、前記固形物収容工程および前記接着工程を行うようにすれば、前記デニム７０に設けられた保形部７２により加工布１０に設けられた収容部１２が保形されるので、この収容部１２内に安定した状態で磁石２０および接着材３０を収容することができるとともに、各工程間の運搬時に収容部１２の形状が崩れてしまうのを抑制することができる。特に、この方法は、前記加工布１０の厚さが薄く、前記収容部１２の形状を保つことが困難な加工布１０に磁石２０等を固定する際に有効となる。
【００５４】
ここで、前記実施形態では、固形物保有布１を下着１００の後ろ身頃１０２の内側に装着した場合について示したが、固形物保有布１により後ろ身頃１０２を構築するようにしてもよい。また、固形物保有布１は下着１００に限らず、例えばシーツ等やクッション等に利用してもよい。
【００５５】
また、前記実施形態では、加工布１０に固定する固形物として磁石２０を用いた場合について示したが、血行促進効果が見込まれる他の固形物、例えばチタンやゲルマニウム等を用いてもよい。
【００５６】
また、前記下敷き部材設置工程で土台６０の上に設置される下敷き部材はデニム７０に限らず、加工布１の収容部１２を保形できるものであればよく、厚手の紙等であってもよい。但し、デニム７０は安価であるとともに比較的厚手であり保形性に優れているため、前記下敷き部材としては好適である。また、この下敷き部材としては、前記加工布１０と同程度の熱収縮性を有し、前記接着工程における乾燥機９０での過熱時に、前記加工布１０の熱収縮を妨げないものが好ましい。さらに、前記下敷き部材設置工程は省いてもよく、土台６０の上に直接加工布１０を設置してもよい。
【００５７】
また、前記接着前工程は、前記順番に限らない。すなわち、前記磁石２０を収容部１２に収容する固形物収容工程の前に縫製工程と検針工程が終了していればよいので、縫製工程と検針工程の前に布設置工程やエンボス加工工程を行ってもよい。
【００５８】
また、前記接着材３０は前記に限らない。
【００５９】
また、前記磁石２０等の固形物の配置は前記に限らない。
【００６０】
また、前記検針工程で用いる検針機５０は、前記のような誘導起電力を検出するものに限らずＸ線を利用するもの等であってもよい。
【図面の簡単な説明】
【００６１】
【図１】本発明に係る固形物保有布の部分断面図である。
【図２】図１に示す固形物保有布の正面図である。
【図３】図１に示す固形物保有布が取り付けられた下着の正面図である。
【図４】図３に示す下着の断面図である。
【図５】図１に示す固形物保有布の加工布が縫製された状態での正面図である。
【図６】図５に示す縫製された加工布が検針機にかけられた状態を示す概略側面図である。
【図７】土台に下敷き部材が設置された状態を示す断面図である。
【図８】図７に示す下敷き部材の上に加工布が設置された状態を示す断面図である。
【図９】図８に示す加工布に収容部が形成された状態を示す断面図である。
【図１０】図９に示す収容部に磁石が収容された状態を示す断面図である。
【図１１】図１０に示す収容部に接着材が滴下された状態を示す断面図である。
【図１２】図１１に示す接着材が滴下された加工布が乾燥機にかけられた状態を示す断面図である。
【符号の説明】
【００６２】
１  固形物保有布
１０  加工布
１２  収容部
１２ａ  底壁
２０  磁石（固形物）
３０  接着材
５０  検針機
６０  土台
６２  凹部
７０  デニム（下敷き部材）
８０  押圧部材
８２  凸部
９０  乾燥機
【図１】
2008133554.tif 000003
【図２】
2008133554.tif 000004
【図３】
2008133554.tif 000005
【図４】
2008133554.tif 000006
【図５】
2008133554.tif 000007
【図６】
2008133554.tif 000008
【図７】
2008133554.tif 000009
【図８】
2008133554.tif 000010
【図９】
2008133554.tif 000011
【図１０】
2008133554.tif 000012
【図１１】
2008133554.tif 000013
【図１２】
2008133554.tif 000014
【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
織布または不織布に固形物が固定された固形物保有布において、
エンボス加工された加工布であって、エンボス加工によりその表面から垂直な方向に突出するとともに当該突出方向の反対側に向かって開口する収容部が形成された加工布と、
前記収容部の内側に収容される粒状の固形物と、
前記収容部の内側に収容されて、当該収容部の開口部を覆うようにして当該収容部の内周面と接着することで前記固形物を前記収容部の内側に固定する接着材とを有することを特徴とする固形物保有布。
【請求項２】
請求項１に記載の固形物保有布において、
当該固形物保有布が、身体と接触する衣類や寝具等に用いられるものであるとともに、
前記固形物が、磁石等のように血行促進作用を有するものを備え、
前記収容部が前記身体側に向かって突出するように構成されていることを特徴とする固形物保有布。
【請求項３】
請求項１または２に記載の固形物保有布において、
前記接着材が、その表面と前記加工布の表面との間に段差がないような形状を有することを特徴とする固形物保有布。
【請求項４】
請求項１〜３のいずれかに記載の固形物保有布において、
前記加工布の少なくとも一部が縫製されていることを特徴とする固形物保有布。
【請求項５】
請求項１〜４のいずれかに記載の固形物保有布を製造する方法であって、
表面に凹部を有する土台上に、前記収容部が形成されていない所定の布を設置する布設置工程と、
前記凹部に嵌合可能な凸部を有する押圧部材により前記土台上に設置された前記布を押圧して、当該布のうち前記凹部と凸部との間に挟まれた部分に前記収容部を形成して前記加工布を製造するエンボス加工工程と、
前記収容部に前記固形物を収容する固形物収容工程と、
前記収容部に当該収容部の開口部分を覆うようにして前記接着材を滴下し、当該接着材を前記収容部の内周面に接着させる接着工程とを含むことを特徴とする固形物保有布の製造方法。
【請求項６】
請求項４に記載の固形物保有布を製造する方法であって、
前記収容部が形成されていない所定の布を縫製するとともに当該縫製された布に前記収容部を形成して前記加工布を製造する接着前工程と、
前記収容部に前記固形物を収容する固形物収容工程と、
前記収容部に当該収容部の開口部分を覆うようにして前記接着材を滴下し、当該接着材を前記収容部の内周面に接着させる接着工程とを備え、
前記接着前工程が、針を用いて前記布の少なくとも一部を縫製する縫製工程と、当該縫製された布に前記針が混入していないかどうかを検査する検針工程と、表面に凹部を有する土台上に前記検針工程後の布を設置する布設置工程と、前記凹部に嵌合可能な凸部を有する押圧部材により前記設置された布を押圧して、当該布のうち前記凹部と凸部との間に挟まれた部分に前記収容部を形成するエンボス加工工程とを含むことを特徴とする固形物保有布の製造方法。
【請求項７】
請求項５または６に記載の固形物保有布を製造する方法において、
前記布設置工程が、前記土台の凹部と対応する位置に当該凹部側に突出し前記収容部をその内部に収容可能な形状を有する保形部を備える下敷き部材を前記土台の上に設置する下敷き部材設置工程と、当該設置された下敷き部材の上に前記収容部が形成されていない所定の布を設置する下敷き部材に対する布設置工程とを含むとともに、
前記エンボス加工工程、前記固形物収容工程および前記接着工程が、前記下敷き部材の上に前記布が設置された状態で実施されることを特徴とする固形物保有布の製造方法。
【手続補正２】
【補正対象書類名】明細書
【補正対象項目名】全文
【補正方法】変更
【補正の内容】
【発明の詳細な説明】
【技術分野】
【０００１】
本発明は、粒状の固形物が埋めこまれた布製品および当該布製品の製造方法に関する。
【背景技術】
【０００２】
従来、磁気やマイナスイオン等を身体に作用させると血行が促進されて健康上良好な効果が得られるといわれており、この効果を得るための種々の健康器具が開発されている。
【０００３】
例えば、前記磁気を発生する磁石が固定された布からなる衣類であって、当該衣類の着用時に前記磁石の磁気が身体に作用するよう構成されたものがある。そして、前記のような磁石等が固定された布としては、特許文献１に、織布または不織布と、当該布に少なくとも一部が埋没した状態で設置された磁石と、当該磁石を覆うような形状を有し前記磁石の周辺の布に溶着されて前記磁石を前記布に固定する接着材とを有する固形物保有布であって、前記接着材が布の表面から外側に突出するようにして前記磁石を覆っているものが開示されている。また、前記特許文献１には、接着材が、前記布との間に磁石を挟み込んだ状態で布の全面にわたって溶着されているものも開示されている。特に、この固形物保有布では、前記接着材に、蛇紋石等の天然放射性を有する鉱石の粉末とスギゴケ等のコケ類植物の粉末等とが混合されており、当該接着材の表面が身体に接するように構成されている。
【０００４】
このような構成によれば、前記コケ類植物の薬効を身体に有効に作用させることができるとともに、前記磁石から発せられる磁気と前記鉱石から発せられる遠赤外線とにより効果的に血行を促進させることができるという効果がある。
【特許文献１】登録実用新案第３０１１９４０号公報
【発明の開示】
【発明が解決しようとする課題】
【０００５】
しかしながら、前記のような固形物保有布では、接着材が布の表面から外側に突出するようにして磁石を覆っているため、当該固形物保有布を衣類に利用した場合、この衣類の着用時等に接着材が身体等と擦れて前記布から剥離してしまう場合がある。また、この接着材の剥離を抑制するために、この接着材と布との溶着量を多くしたり前記のように布の全面にわたって接着材を溶着させてしまうと、固形物保有布全体が大型化してしまうとともにコスト面で不利になるという問題がある。
【０００６】
本発明は、かかる事情に鑑み、簡単な構造でより確実に前記接着部分の剥離を抑止することができる固形物保有布の提供を目的とする。
【課題を解決するための手段】
【０００７】
前記課題を解決するための請求項１に係る発明は、織布または不織布に固形物が固定された固形物保有布において、エンボス加工された加工布であって、エンボス加工によりその表面から垂直な方向に突出するとともに当該突出方向の反対側に向かって開口する収容部が形成された加工布と、前記収容部の内側に収容される粒状の固形物と、前記収容部の開口部を覆うようにして当該収容部の内周面と接着することで前記固形物を前記収容部の内側に固定する接着材とを有することを特徴とするものである（請求項１）。
【０００８】
本発明によれば、エンボス加工により形成された収容部に固形物を収容し、この固形物が収容された収容部の開口部を前記接着材により覆うという簡単な構成で、前記固形物を前記加工布に確実に固定することができる。また、本発明では、前記接着材が前記加工布の表面から突出する収容部の内周面に接着することで前記固形物を固定できるよう構成されているので、この接着材が前記加工布の表面から外側に突出するのを抑制することができる。すなわち、本発明によれば、簡単な構成で、前記固形物を確実に加工布に固定しつつ前記接着材の加工布からの突出量を抑制して接着材が身体等と擦れて剥離してしまうのを抑制することが可能になる。
【０００９】
また、前記固形物保有布の利用方法は限定されるものではないが、この固形物保有布を身体と接触する衣類や寝具等に利用するのが好ましい。そして、この固形物保有布を衣類や寝具等に利用する場合には、さらに、前記固形物が磁石等のように血行促進作用を有するものを備えるとともに、前記収容部が前記身体側に向かって突出するように構成されているのが好ましい（請求項２）。
【００１０】
このようにすれば、前記収容部が身体側に向かって突出するため、この収容部に収容された前記磁石等と身体とをより確実に接触させることができ、この固形物の有する血行促進作用を身体に効率よく作用させることが可能になるとともに、接着材が直接身体と接触するのをなくすことができるので、皮膚の弱い使用者等にも快適な使用感を提供することが可能になる。また、前記のように収容部はエンボス加工により形成されたものであり、身体と磁石等との間に介在する部分の加工布の厚さは均一となるので、前記磁石等が加工布を介して身体に及ぼす作用の管理が容易となる。ここで、前記血行促進作用を有する固形物としては、磁石やゲルマニウム、チタン等が挙げられる。
【００１１】
また、本発明において、前記接着材が、その表面と前記加工布の表面との間に段差がないような形状を有するのが好ましい（請求項３）。
【００１２】
このようにすれば、前記固形物を固定しつつ表面に凹凸を有しない滑らかな固形物保有布を提供することが可能となり、この固形物保有布を衣類等に用いた場合にその外観を向上させることが可能となる。
【００１３】
また、本発明において、前記加工布の少なくとも一部が縫製されているのが好ましい（請求項４）。
【００１４】
このようにすれば、この固形物保有布を衣類等に加工する場合に、端部の糸のほつれ等が抑制されるので加工が容易となり利便性が向上する。
【００１５】
また、前記固形物保有布を製造する方法としては、表面に凹部を有する土台上に、前記収容部が形成されていない所定の布を設置する布設置工程と、前記凹部に嵌合可能な凸部を有する押圧部材により前記土台上に設置された前記布を押圧して、当該布のうち前記凹部と凸部との間に挟まれた部分に前記収容部を形成して前記加工布を製造するエンボス加工工程と、前記収容部に前記固形物を収容する固形物収容工程と、前記収容部に当該収容部の開口部分を覆うようにして前記接着材を滴下し、当該接着材を前記収容部の内周面に接着させる接着工程とを含むのが好ましい（請求項５）。
【００１６】
この方法によれば、前記布設置工程にて前記凹部を有する土台上に設置された布を、前記エンボス加工工程にて前記凸部を有する押圧部材により押圧することで、簡単に前記収容部を形成することができる。また、前記収容工程で前記収容部に前記固形物を収容し、前記接着工程にてこの収容部の内側に接着材を滴下して、当該接着材を収容部の開口部を覆うようにして収容部の内周面に接着させることで、比較的容易に前記固形物を収容部の内側に固定することができる。
【００１７】
また、前記固形物保有布のうち前記加工布の少なくとも一部が縫製された固形物保有布を製造する方法としては、前記収容部が形成されていない所定の布を縫製するとともに当該縫製された布に前記収容部を形成して前記加工布を製造する接着前工程と、前記収容部に前記固形物を収容する固形物収容工程と、前記収容部に当該収容部の開口部分を覆うようにして前記接着材を滴下し、当該接着材を前記収容部の内周面に接着させる接着工程とを備え、前記接着前工程が、針を用いて前記布の少なくとも一部を縫製する縫製工程と、当該縫製された布に前記針が混入していないかどうかを検査する検針工程と、表面に凹部を有する土台上に前記検針工程後の布を設置する布設置工程と、前記凹部に嵌合可能な凸部を有する押圧部材により前記設置された布を押圧して、当該布のうち前記凹部と凸部との間に挟まれた部分に前記収容部を形成するエンボス加工工程とを含むのが好ましい（請求項６）。
【００１８】
この方法によれば、前記接着前工程にて前記所定の布を縫製するとともに当該布に前記収容部を形成して前記加工布を製造し、その後、前記収容工程でこの収容部に前記固形物を収容し、さらに、前記接着工程にてこの収容部の内側に接着材を滴下して、当該接着材を収容部の開口部を覆うようにして前記収容部の内周面に接着させることで、固形物を固定しつつ縫製された固形物加工布を製造することができる。
【００１９】
また、前記接着前工程では、針を用いて前記布を縫製する縫製工程と、この縫製された布に前記針が混入していないかどうかを検査する検針工程とが行われており、前記収容工程にて固形物が前記収容部に収容される前に前記検針工程が行われることになるので、当該固形物が前記検針工程時に針として誤って検出されてしまうといった事態を回避することができ、検針作業を効率よく行うことが可能になる。例えば、前記針として金属製の針が用いられ、前記固形物として磁石等の金属が収容される場合であって、金属探知機を用いて検針作業を行う場合等では、前記固形物が金属探知機に反応してしまうのを抑制することができる。すなわち、前記固形物収容後には縫製工程を行わないので、固形物収容後に再度検針工程を行う必要がなく、固形物収容工程前の検針工程のみで、針の混入が見過ごされることを確実に防止することが可能となる。
【００２０】
また、前記固形物保有布の製造方法において、前記布設置工程が、前記土台の凹部と対応する位置に当該凹部側に突出し前記収容部をその内部に収容可能な形状を有する保形部を備える下敷き部材を前記土台の上に設置する下敷き部材設置工程と、当該設置された下敷き部材の上に前記収容部が形成されていない所定の布を設置する下敷き部材に対する布設置工程とを含むとともに、前記エンボス加工工程、前記固形物収容工程および前記接着工程が、前記下敷き部材の上に前記布が設置された状態で実施されるのが好ましい（請求項７）。
【００２１】
この方法では、前記下敷き部材設置工程で設置された下敷き部材の上に、前記下敷き部材に対する布設置工程において前記所定の布が設置され、前記下敷き部材の上に設置された状態で前記エンボス加工工程から前記接着工程までが実施されるので、前記下敷き部材に設けられた保形部によって前記加工布に設けられた収容部の形状を保ちつつ前記各工程を行うことができる。すなわち、この方法によれば、前記収容部内に安定して固形物を収容するとともに前記接着材を安定して滴下することが可能になる。
【発明の効果】
【００２２】
以上説明したように、本発明によれば、簡単な構成で接着部分の剥離を抑制することのできる固形物保有布を提供することができる。
【発明を実施するための最良の形態】
【００２３】
以下、本発明の好ましい実施の形態について図面を参照して説明する。ここでは、本発明に係る固形物保有布を下着の一部に利用するとともに、この固形物保有布に固定する固形物を磁石とした場合について説明する。
【００２４】
図１は本発明に係る固形物保有布の部分断面図であり、図２は前記固形物保有布の正面図であり、図３はこの固形物保有布が取り付けられた下着の正面図であり、図４は前記下着の断面図である。
【００２５】
図３および図４に示すように、固形物保有布１は下着１００の背中部分に取り付けられている。より具体的には、下着１００のうち背中全体を覆う後ろ身頃１０２の内側に前記固形物保有布１が装着されている。
【００２６】
図１に示すように、前記固形物保有布１は、加工布１０と、磁石２０と、接着材３０とを有している。
【００２７】
前記加工布１０は、前記下着１００のうち少なくとも後ろ身頃１０２と同様の組成を有する織布であり、図４に示すように、身体の肩から背中の中央部分の領域を覆うような大きさを有している。また、この加工布１０は、織糸のほつれ等がないように、その外周が所定の糸で縫製されている。また、この加工布１０には、その表面から垂直な方向に突出するとともに当該突出方向の反対側に向かって開口する複数の収容部１２が設けられている。
【００２８】
前記収容部１２は、図４に示すように、前記加工布１０が前記後ろ身頃１０２に装着されて下着１００が形成された状態で、身体側に向かって突出するように構成されている。ここで、この収容部１２はエンボス加工により形成されたものであり、その突出方向と垂直に広がる底壁１２ａの厚みはほぼ均一となっている。さらに、この収容部１２は下着１００を装着した際に、背中のつぼの位置とほぼ一致するように配置されている。
【００２９】
前記磁石２０は、磁気を発生させ当該磁気により身体の血行促進を行うものである。この磁石２０は、例えば、フェライト磁石や希土類磁石等であり磁束密度が１００ミリテスラ程度の磁石である。この磁石２０は、粒状であり前記加工布１０に設けられた収容部１２の内側にそれぞれ収容可能な形状を有している。そして、この磁石２０は、前記収容部１２に収容され、この収容部の底壁１２ａを介して身体に磁気を作用させる。特に、収容部１２を、前記のように、身体のつぼの位置に配置しておけば、この収容部１２に収容された磁石２０の磁気を身体に効果的に作用させることができる。また、前記収容部１２の底壁１２ａの厚み、すなわち、この収容部１２に収容される磁石２０と身体との間に介在する部分の厚みが均一であるので、磁石２０の磁気は身体に均一に作用することになる。
【００３０】
前記接着材３０は、前記磁石２０を収容部１２の内側に固定するためのものである。この接着材３０は、前記磁石２０が収容された収容部１２の開口部分を覆うようにしてこの収容部１２の内周面に接着しており、これによって、磁石２０を前記収容部１２の内側に固定している。また、この接着材３０は、収容部１２に収容されており、その表面３０ａと加工布１０の表面１０ａとの間に段差がないような形状を有している。すなわち、接着材３０の表面３０ａと加工布１０の表面１０ａとは面一であり、本固形物保有布１の表面は滑らかな形状となっている。従って、この固形物保有布１を下着１００のような衣類に利用した場合、特に、収容部１２の突出側が身体側となるように用いた場合には、外側の表面に凹凸が生じるのを抑制することができ、外観上、磁石２０を有しない通常の下着と同様の形状を保つことが可能になる。また、前記接着材３０は、収容部１２に収容されており、この収容部１２以外の部分には付着していない。従って、接着材３０による通気性の悪化を抑制することが可能になる。
【００３１】
前記接着材３０の材質についての詳細は後述するが、例えば、熱硬化型のシリコーン樹脂等を用いればよい。
【００３２】
以上のように接着材３０により収容部１２の内側に磁石２０が固定された固形物保有布１は、下着１００の後ろ身頃１０２の内側に装着される。そして、前記収容部１２に収容された磁石２０の磁気が前記底壁１２ａを介して身体に作用して、身体の血行が促進される。
【００３３】
次に、前記固形物保有布１の製造方法について説明する。この製造方法は、以下の工程を含む。
【００３４】
１）接着前工程
１−１）縫製工程
この工程は、前記収容部１２が形成される前の所定の布１０ｂに縫製を行う工程である。この工程では、図５の破線Ｌで示すように、前記布１０ｂの外周部分から織糸がほつれてしまわないように、前記外周部分をミシン等で縫製する。
【００３５】
１−２）検針工程
この工程では、前記縫製工程後の布１０ｂに折れた針の一部等が混入していないかどうかを検査する工程である。この工程では、図６に示すように、検針機５０によって布１０ｂに針が混入していないかどうかを検査する。前記検針機５０は、永久磁石５２とコイル５４とを有し、この永久磁石５２とコイル５４とにより形成される磁界が変化した際に発生する誘導起電力を検出するものである。すなわち、永久磁石５２とコイル５４との間に設置された布１０ｂに針が混入している場合には前記磁界をこの針が横切ることで誘導起電力が発生するため、この誘導起電力が検出されれば前記布１０ｂに針が混入していることを検出することができる。前記検針機５０では、この誘導起電力を検出して、誘導起電力が発生した場合にライト等を点滅させて作業者に報知している。
【００３６】
ここで、前記布１０ｂに折れた針等が混入していることが検出された場合には、作業者等によりこの針が除去されて、再度、検針機５０による検査が行われる。
【００３７】
１−３）布設置工程
この工程では、下敷き部材設置工程と下敷き部材に対する布設置工程とが行われる。
【００３８】
１−３−１）下敷き部材設置工程
この工程は、図７に示すように土台６０の上に下敷き部材７０を設置する工程である。前記土台６０とは、前記布１０ｂに前記収容部１２を形成するためのメス側金型であり、その表面には前記収容部１２とほぼ同形状の凹部６２が複数設けられている。また、前記下敷き部材７０とは前記収容部１２を保形するためのものである。本実施形態では、前記下敷き部材７０としてデニムを用いている。このデニム７０には、その表面に、前記凹部６２と対応する位置に、この凹部６２側に突出して前記収容部１２を収容可能な形状を有する保形部７２が形成されている。そして、この下敷き部材設置工程では、前記土台６０の上に前記デニム７０が、前記凹部６２内に前記保形部７２がはまり込むようにして設置される。
【００３９】
１−３−２）下敷き部材に対する布設置工程
この工程では、図８に示すように、土台６０上に設置された前記デニム７０の上に、前記検針工程が終了した前記布１０ｂが設置される。
【００４０】
１−４）エンボス加工工程
この工程は、図９に示すように、前記布１０ｂをエンボス加工してこの布１０ｂに収容部１２を形成する工程である。この工程では、押圧部材８０により布１０ｂが押圧されることで前記収容部１２が形成された加工布１０が製造される。前記押圧部材８０とは、前記布１０ｂに前記収容部１２を形成するためのオス側金型であり、その表面には土台６０側に向けて突出する凸部８２が複数設けられている。また、この凸部８２は、前記土台６０の凹部６２およびこの凹部６２上に設置された前記デニム７０の保形部７２と嵌合するような形状を有している。そして、この凸部８２により布１０ｂが前記土台６０側に押圧されることで、前記凹部６２上の前記保形部７２と前記凸部８２との間に前記収容部１２が形成される。
【００４１】
ここで、前記凸部８２は均一な押圧力で布１０ｂを押圧しており、前記収容部１２の底壁１２ａの厚さはほぼ均一な厚さに形成される。
【００４２】
２）固形物収容工程
この工程では、図１０に示すように、前記エンボス加工工程で形成された複数の収容部１２に磁石２０がそれぞれ収容される。
【００４３】
３）接着工程
この工程は、前記収容部１２に接着材３０を滴下して、この接着材３０を前記収容部１２の内周面に接着する工程である。
【００４４】
この工程では、まず、図１１に示すように、図略のディスペンサ等により前記収容部１２に接着材３０が滴下される。特に、この工程では、前記接着材３０が、その表面３０ａと前記加工布１０の表面１０ａとの間に段差が生じないように滴下される。
【００４５】
ここで、前記接着材３０としては、収容部１２に滴下された後にその形状が安定して維持される程度にその粘度が高まる（すなわち硬化する）ものであることが好ましい。この硬化は自然硬化でもよいし、紫外線の照射や加熱によって促進される硬化であってもよい。ただし、硬化後も接着材３０にある程度の弾性（柔軟性）が確保されるものであることが好ましい。これにより、使用時にこの接着材３０に外力が加わった場合等にこの接着材３０の割れや破損が生ずることを回避することができる。前記接着材３０としては、例えば熱硬化型のシリコーン樹脂が好適である。
【００４６】
そして、この接着材３０が滴下された加工布１０は、図１２に示すように前記デニム７０上に設置されたまま前記土台６０から外され、デニム７０とともに乾燥機９０内に運び込まれる。そして、前記収容部１２に滴下された接着材３０は、この乾燥機９０内で加熱されることで硬化して収容部１２の内周面と接着する。その結果、前記収容部１２内に収容された磁石２０は、この収容部１２に固定される。
【００４７】
このようにして製造された固形物保有布１は、さらに収容部１２の突出側が身体側にくるように下着１００の後ろ身頃１０２に装着される。具体的には、この固形物保有布１は、縫製が終了した下着１００の後ろ身頃１０２に接着シート等を介して超音波溶着等により装着される。
【００４８】
以上のように、本固形物保有布１によれば、前記磁石２０が収容された収容部１２の開口部を前記接着材３０により覆い、この接着材３０を収容部１２の内周面に接着させるという簡単な構成で、前記接着材３０が加工布１０の表面から突出するのを抑制しつつ磁石２０を確実に加工布１０に固定することができる。その結果、この接着材３０が身体等と擦れて剥離してしまうのを抑制することが可能になる。
【００４９】
また、この固形物保有布１を下着１００等のように身体と接触する衣類に利用した場合に、当該固形物保有布１を前記収容部１２が身体側に突出するように用いれば、収容部１２に収容された磁石２０と身体とをより確実に接触させることができるので、この磁石２０の血行促進作用を効率よく身体に作用させることが可能になる。また、前記接着材３０が身体と直接接触するのを抑制することができるので、皮膚への負担を抑制することでき、皮膚の比較的弱い使用者等に対しても快適な使用感を提供することが可能になる。さらに、前記収容部１２はエンボス加工により形成されたものであり、身体と磁石２０との間に介在する収容部１２の底壁１２ａの厚さは均一となるので、前記磁石２０がこの底壁１２ａを介して身体に及ぼす作用の管理が容易になる。
【００５０】
また、前記のように、固形物保有布１を前記接着材３０の表面３０ａと前記加工布１０の表面１０ａとの間に段差がないように構成しておけば、外側に凹凸が生じるのを抑制することができるので、その外観が向上する。
【００５１】
また、前記固形物保有布１を製造する方法として、前記のような方法を用いれば、布設置工程で設置された布１０ｂに対して、エンボス加工工程にて簡単に前記収容部１２を形成することができる。また、前記固形物収容工程にて磁石２０を前記収容部１２に収容し、接着工程にてこの収容部１２に接着材３０を滴下するとともに接着材３０を収容部１２の内周面に接着させれば、前記磁石２０を収容部１２の内側に収容した状態で、この収容部１２の開口部が接着材３０により覆われることになるので、磁石２０を収容部１２の内側に確実に固定することが可能になる。特に、前記接着工程にて、前記接着材３０を、その表面３０ａと加工布１０の表面１０ａとの間に段差が生じないよう滴下しておけば、容易に固形物保有布１の表面を滑らかにすることができる。
【００５２】
また、前記固形物収容工程の前に、前記布１０ｂを縫製する縫製工程と、当該縫製された布１０ｂに針が混入していないかどうかを検査する検針工程とを行い、前記磁石２０を接着材３０により加工布１０に固定するようにすれば、固形物収容工程後に再度検針工程を行う必要がなくなるので、効率よく固形物保有布１を製造することが可能になる。
【００５３】
また、前記布設置工程において、前記土台６０の上に前記布１０ｂよりも厚手のデニム７０を設置し（下敷き部材設置工程）、このデニム７０の上に布１０ｂを設置して（下敷き部材に対する布設置工程）、デニム７０の上に布１０ｂが設置された状態で、前記エンボス加工工程、前記固形物収容工程および前記接着工程を行うようにすれば、前記デニム７０に設けられた保形部７２により加工布１０に設けられた収容部１２が保形されるので、この収容部１２内に安定した状態で磁石２０および接着材３０を収容することができるとともに、各工程間の運搬時に収容部１２の形状が崩れてしまうのを抑制することができる。特に、この方法は、前記布１０ｂの厚さが薄く、前記収容部１２の形状を保つことが困難な布１０ｂに磁石２０等を固定する際に有効となる。
【００５４】
ここで、前記実施形態では、固形物保有布１を下着１００の後ろ身頃１０２の内側に装着した場合について示したが、固形物保有布１により後ろ身頃１０２を構築するようにしてもよい。また、固形物保有布１は下着１００に限らず、例えばシーツ等やクッション等に利用してもよい。
【００５５】
また、前記実施形態では、加工布１０に固定する固形物として磁石２０を用いた場合について示したが、血行促進効果が見込まれる他の固形物、例えばチタンやゲルマニウム等を用いてもよい。
【００５６】
また、前記下敷き部材設置工程で土台６０の上に設置される下敷き部材はデニム７０に限らず、加工布１０の収容部１２を保形できるものであればよく、厚手の紙等であってもよい。但し、デニム７０は安価であるとともに比較的厚手であり保形性に優れているため、前記下敷き部材としては好適である。また、この下敷き部材としては、前記加工布１０と同程度の熱収縮性を有し、前記接着工程における乾燥機９０での加熱時に、前記加工布１０の熱収縮を妨げないものが好ましい。さらに、前記下敷き部材設置工程は省いてもよく、土台６０の上に直接布１０ｂを設置してもよい。
【００５７】
また、前記接着前工程は、前記順番に限らない。すなわち、前記磁石２０を収容部１２に収容する固形物収容工程の前に縫製工程と検針工程が終了していればよいので、縫製工程と検針工程の前に布設置工程やエンボス加工工程を行ってもよい。
【００５８】
また、前記接着材３０は前記に限らない。
【００５９】
また、前記磁石２０等の固形物の配置は前記に限らない。
【００６０】
また、前記検針工程で用いる検針機５０は、前記のような誘導起電力を検出するものに限らずＸ線を利用するもの等であってもよい。
【図面の簡単な説明】
【００６１】
【図１】本発明に係る固形物保有布の部分断面図である。
【図２】図１に示す固形物保有布の正面図である。
【図３】図１に示す固形物保有布が取り付けられた下着の正面図である。
【図４】図３に示す下着の断面図である。
【図５】図１に示す固形物保有布を構成する布が縫製された状態を示す正面図である。
【図６】図５に示す縫製された布が検針機にかけられた状態を示す概略側面図である。
【図７】土台に下敷き部材が設置された状態を示す断面図である。
【図８】図７に示す下敷き部材の上に布が設置された状態を示す断面図である。
【図９】図８に示す布に収容部が形成された状態を示す断面図である。
【図１０】図９に示す収容部に磁石が収容された状態を示す断面図である。
【図１１】図１０に示す収容部に接着材が滴下された状態を示す断面図である。
【図１２】図１１に示す接着材が滴下された加工布が乾燥機にかけられた状態を示す断面図である。
【符号の説明】
【００６２】
１  固形物保有布
１０  加工布
１２  収容部
１２ａ  底壁
２０  磁石（固形物）
３０  接着材
５０  検針機
６０  土台
６２  凹部
７０  デニム（下敷き部材）
８０  押圧部材
８２  凸部
９０  乾燥機
【手続補正３】
【補正対象書類名】図面
【補正対象項目名】図４
【補正方法】変更
【補正の内容】
【図４】
2008133554.tif 000015
【手続補正４】
【補正対象書類名】図面
【補正対象項目名】図５
【補正方法】変更
【補正の内容】
【図５】
2008133554.tif 000016
【手続補正５】
【補正対象書類名】図面
【補正対象項目名】図６
【補正方法】変更
【補正の内容】
【図６】
2008133554.tif 000017
【手続補正６】
【補正対象書類名】図面
【補正対象項目名】図８
【補正方法】変更
【補正の内容】
【図８】
2008133554.tif 000018